(57)【要約】【課題】シート搬送装置の角度を大きく調整しても、シート搬送装置の上流側もしくは下流側においてシートが外れないようにする。【解決手段】シート搬送装置１００と、このシート搬送装置１００より下流側に配置された給紙装置１１０との間にガイド部材２００を設ける。ガイド部材２００は、下側ガイド板２０１と上側ガイド板２０２とで構成し、下側ガイド板２０１および上側ガイド板２０２は、シート搬送装置１００の補正部材下側ガイド板１０４、補正部材上側ガイド板１０５および給紙装置１１０の給紙下側ガイド板１１４、給紙上側ガイド板１１５に回動可能に取り付け、シート搬送装置１００の取り付け角度を変更しても、ガイド部材２００を追従させ、シート搬送装置１００と給紙装置１１０との間からシートが外れないようにする。【選択図】図２
2016109783.tif 000002
【特許請求の範囲】
【請求項１】
シートに画像を形成する画像形成手段と、
前記画像形成手段に向けて搬送されるシートの前記画像形成手段への搬送タイミングと搬送姿勢とを調整する補正ローラーを備えるシート搬送装置と、
を備え、
前記シート搬送装置のシート搬送方向における上流側および下流側の少なくとも一方側に他の処理装置を配置した画像形成装置において、
前記シート搬送装置を前記シートの搬送面内において取り付け角度を調整可能に配置し、
前記シート搬送装置と、前記他の処理装置との隙間を覆って前記シートを案内するとともに、前記搬送面内において配置角度を変更可能としたガイド部材を配置し、
前記ガイド部材は、前記シート搬送装置の取り付け角度に追従して前記シートの搬送面内において取り付け角度が変更されることを特徴とする画像形成装置。
【請求項２】
前記ガイド部材は、前記シート搬送装置に回転可能に支持されており、前記シート搬送装置の角度に応じて取り付け角度が変更されることを特徴とする請求項１に記載の画像形成装置。
【請求項３】
前記ガイド部材は付勢手段によって前記シート搬送装置に向けて押し付けられており、
前記ガイド部材の少なくとも一部が前記シート搬送装置に突き当たって取り付け角度が変更されることを特徴とする請求項１に記載の画像形成装置。
【請求項４】
前記ガイド部材の一端が前記シート搬送装置に回転可能に支持されていることを特徴とする請求項３に記載の画像形成装置。
【請求項５】
前記シート搬送装置は、搬送されるシートをガイドするガイド板を備え、
前記ガイド部材および前記シート搬送装置のガイド部材のうち少なくとも一方の端部には、前記画像形成装置の本体から挿抜する方向に対して傾斜する斜面部を形成していることを特徴とする請求項１から請求項４のいずれか一項に記載の画像形成装置。
【請求項６】
前記シート搬送装置の上流側に配置される処理装置は給紙装置であることを特徴とする請求項１から請求項６のいずれか一項に記載の画像形成装置。
【請求項７】
前記画像形成手段に対する取り付け角度を変更するように前記シート搬送装置を移動する駆動手段と、
前記画像形成手段において形成された画像の形成位置を検出する画像位置検知手段と、
前記画像位置検知手段によって検知された画像位置情報に基づいて画像の傾き、歪みを含む画像の状態を演算する演算手段と、
前記演算手段の演算結果に基づいて調整量だけ前記駆動手段を駆動して前記シート搬送装置の角度を調整する駆動制御手段と、
を備えることを特徴とする請求項１から請求項６のいずれか一項に記載の画像形成装置。
【発明の詳細な説明】
【技術分野】
【０００１】
本発明は、画像形成装置に関する。
【背景技術】
【０００２】
画像形成装置として、作像手段で形成したトナー像をシートに転写する、電子写真式のものがあり、このような画像形成装置では、作像手段で作成したトナー像を、一端転写部材に転写し、転写部材に転写されたトナー画像をさらにシートに転写するものがある。このような画像形成装置では、シートを転写部材に対して、所定のタイミングで、斜め送りを修正して送出する補正ローラー（レジストローラーとも称される）が設けられる。そして、補正ローラーは、その角度を転写部材に対して調整可能に構成されものがある。
【０００３】
特許文献１には、シートの斜め送り修正のための機構を簡素化するために、レジストローラー装置を構成するローラー部材を搬送装置に支持させ、前記搬送装置をシート搬送面に対して揺動可能に設け、前記搬送装置のフレームの少なくとも一方に突き当て面を設けた突き当てガイドを配置するとともに、前記フレームの少なくとも一方を、スプリングを介して付勢し、シート搬送路に対応する部材に少なくとも１つ設けた押圧部により、前記突き当てガイドの突き当て面を押圧して位置決めを行う機構が記載されている。
【発明の概要】
【発明が解決しようとする課題】
【０００４】
しかし、従来の画像形成装置では、補正ローラーの周辺に配置されたシートのガイド板が補正ローラーの位置を修正したときに追従しない。このため、補正ローラーの手前に形成されるたるみ生成スペースに偏りが生じてしまう。また、補正ローラーに当接させた紙粉取り用のマイラーの接触圧が弱くなってしまい紙粉取り性能が低下してしまう。
【０００５】
このため、補正ローラー単体ではなく、補正ローラーおよびその周辺のガイド板等を一体化したシート調整装置を形成し、このシート修正装置の角度を調整することがなされる。しかし、シート調整装置の角度を調整して補正ローラーの姿勢を調整した場合、調整量によっては、シート修正装置の上流側もしくは下流側の処置装置との隙間が大きくなってしまい、正常に搬送できないという問題が発生する。そのため、シート調整装置の調整角度が限定されてしまうという問題があった。
【０００６】
この状態を図面に基づいて説明する。図５は従来のシート搬送装置周辺のレイアウトを表す模式図である。この例では、シート調整装置であるシート搬送装置５００と、このシート搬送装置５００にシートを供給する給紙装置５１０とを備える。シート搬送装置５００のシート搬送方向の下流側にシートにトナー像を転写する転写ローラーが配置される。
【０００７】
シート搬送装置５００は、シート補正ローラー５０２、従動ローラー５０３、補正下側ガイド板５０４、補正上側ガイド板５０５を備えて構成される。シート搬送装置５００は奥側（図５（ａ）中上側）に回転中心となる軸部材５０６を、前側に長穴として形成された固定用穴５０７を備える。これにより、固定用穴５０７に固定部材５０８を固定するとき、シート搬送装置５００の角度を、軸部材５０６を中心に変更して、シート補正ローラー５０２の転写ローラーに対する角度を調整できる。この角度の調整は、画像形成装置の組み立て時に実施するが、位置調整にモータ等の駆動手段を備えている場合には、組み立て後や動作中に実施することもできる。
【０００８】
給紙装置５１０は、フィードローラー５１１、リバースローラー５１２、ピックアップローラー５１３、下側給紙ガイド板５１４、上側給紙５１５を備える。シート搬送装置５００の下側ガイド板５０４、上側ガイド板５０５と給紙装置５１０の下側ガイド板５１４、上側ガイド板５１５の隙間は、シート搬送装置５００を給紙装置５１０側に傾けることを考慮して、所定の隙間を設ける必要がある。このため、シート搬送装置５００の角度調整前の隙間Ｄを狭くすることができない。図５（ａ）に示した状態は、シート搬送装置５００の図中下側を転写ローラー側に傾けた状態を示している。この状態で、シート搬送装置５００の前側における補正下側ガイド板５０４、補正上側ガイド板５０５と、給紙装置５１０の下側給紙ガイド板５１４、上側給紙ガイド板５１５との間にはさらなる隙間が生じており、カールしたシートを搬送した場合、補正下側ガイド板５０４と補正上側ガイド板５０５との間から外れてしまうため、シート搬送装置５００の調整量が限られてしまう。
【０００９】
また、特許文献１に記載のものは、ガイド部材を介して位置決めするため、ガイド板受け渡し部の隙間が広くなってしまうことや、上流もしくは下流のどちらかに限定されるため、位置決めしていない側では隙間が広くなってしまう。このため、シート搬送装置にて角度を調整した場合、調整量によっては、その上流もしくは下流のガイド板の受け渡し部の隙間が大きくなって正常に搬送できないため、調整角度が限定されてしまう。
【００１０】
そこで、本発明は、シート搬送装置の角度を大きく調整しても、シート搬送装置の上流側もしくは下流側においてシートが外れてしまうのを防止できる画像形成装置を提供することを目的とする。
【課題を解決するための手段】
【００１１】
本発明に係る画像形成装置は、シートに画像を形成する画像形成手段と、前記画像形成手段に向けて搬送されるシートの、画像形成手段への搬送タイミングと搬送姿勢とを調整する補正ローラーを備えるシート搬送装置と、を備え、前記シート搬送装置のシート搬送方向における上流側および下流側の少なくとも一方側に他の処理装置を配置した画像形成装置において、前記シート搬送装置を前記シートの搬送面内において取り付け角度を調整可能に配置し、前記シート搬送装置と、前記他の処理装置との隙間を覆って前記シートを案内するとともに、前記搬送面内において配置角度を変更可能としたガイド部材を配置し、前記ガイド部材は、前記シート搬送装置の取り付け角度に追従して前記シートの搬送面内において取り付け角度が変更されることを特徴とする。
【発明の効果】
【００１２】
本発明によれば、シート搬送装置の角度を大きく調整しても、ガイド部材によって上流もしくは下流において他の処理装置との隙間からシートが外れてしまうことを防止できる。
【図面の簡単な説明】
【００１３】
【図１】本発明の実施形態が適用される画像形成装置を示す概略構成図である。
【図２】実施形態１に係る画像形成装置のシート搬送装置を示すものであり、（ａ）は（ｂ）のＢ−Ｂ線からの矢視図、（ｂ）は（ａ）中のＡ−Ａ線断面図である。
【図３】実施形態２に係る画像形成装置のシート搬送装置を示すものであり、（ａ）は（ｂ）のＢ−Ｂ線からの矢視図、（ｂ）は（ａ）中のＡ−Ａ線断面図である。
【図４】実施形態２に係る画像形成装置のシート搬送装置の制御系を示すブロック図である。
【図５】従来の画像形成装置のシート位置調整装置を示すものであり、（ａ）は（ｂ）のＢ−Ｂ線からの矢視図、（ｂ）は（ａ）中のＡ−Ａ線断面図である。
【発明を実施するための形態】
【００１４】
以下、本発明を実施するための形態に係る画像形成装置について説明する。まず、本発明に係る画像形成装置の一実施形態の全体構成を図面に基づいて説明する。図１は本発明の実施形態が適用される画像形成装置を示す概略構成図である。実施形態に係る画像形成装置１は、フルカラー画像が形成可能なタンデム型のカラー画像形成装置である。
【００１５】
画像形成装置１は、イエロー（Ｙ）、マゼンタ（Ｍ）、シアン（Ｃ）、ブラック（Ｂｋ）の４色のカラートナー像を重ね合わせてカラー画像を形成する。画像形成装置１は、画像形成手段として４台の作像装置１０Ｙ、１０Ｍ、１０Ｃ、１０Ｂｋと、中間転写ベルト２０とを備える。作像装置１０Ｙ、１０Ｍ、１０Ｃ、１０Ｂｋから、中間転写ベルト２０に各色のカラートナー像が一次転写され、シートＳに画像が形成される。中間転写ベルト２０は、複数のローラー２１、２２、２３、２５、３２、３３にかけ回された無端状のベルト部材である。また、作像装置１０Ｙ、１０Ｍ、１０Ｃ、１０Ｂｋは、中間転写ベルト２０上部走行辺に沿って並べて設けられている。複数のローラー２１、２２、２３、２５、３２、３３のうち符号２１で示したローラーは駆動ローラーをなす。
【００１６】
各作像装置１０Ｙ、１０Ｍ、１０Ｃ、１０Ｂｋは、扱うトナーの色が異なるだけで、その構成は同一である。作像装置１０Ｙ、１０Ｍ、１０Ｃ、１０Ｂｋは、それぞれ像担持体としての感光体ドラム１１と、この感光体ドラム１１の周りに配置された帯電手段１２と、現像装置１３と、クリーニング装置１４と、一次転写ローラー１５とを備える。一次転写ローラー１５は、感光体ドラム１１に対向するように中間転写ベルト２０の内側に配置され一次転写部を構成する。
【００１７】
また、本実施形態に係る画像形成装置１は、各作像装置１０Ｙ、１０Ｍ、１０Ｃ、１０Ｂｋごとに露光手段１６を備えている。この露光手段１６としては、例えばＬＥＤ（Light Emitting Diode）等が帯電手段１２と現像装置１３の間に位置して配置されている。なお、露光手段としては、各作像装置１０に共通の露光装置、例えばレーザー書き込み装置を用いることもできる。また、この画像形成装置１は、中間転写ベルト２０の転写対向ローラーをなすローラー３２に対向して二次転写部材である二次転写ローラー３１が配置されている。この例では、中間転写ベルト２０および二次転写ローラー３１で転写ニップＮを形成し、二次転写部３０をなす。
【００１８】
二次転写ローラー３１の上流側には記録媒体であるシートＳの斜行を防止するシート搬送装置１００が配置されている。シート搬送装置１００には、シートの二次転写部３０への搬送タイミングを調整するとともに、搬送姿勢、即ちシートの斜行を補正する補正ローラー１０２、従動ローラー１０３が設けられている。また、二次転写ローラー３１の図中左側には無端状のベルト５５ａを備える搬送装置５５が配置されている。また、搬送装置５５の、図中左側には定着装置４０が設けられている。この定着装置４０は、加熱ローラー４１と定着ローラー４２とに掛け渡された定着ベルト４３を有するベルト定着装置であり、定着ベルト４３を挟んで定着ローラー４２に加圧ローラー４４が押しつけられている。
【００１９】
シート搬送装置１００の下流には、他の処理装置として給紙装置１１０が配置されている。給紙装置１１０は、複数のシートＳからなるシート束を収納する給紙トレイ５０、フィードローラー１１１、リバースローラー１１２、ピックアップローラー１１３が配置されている。なお、シート搬送装置１００の上流側には他の処理装置として二次転写部３０が配置されている。この他、必要に応じて、手差し給紙部やシート反転部を設けることもできる。また、画像読取装置（スキャナ）や自動原稿供給装置（ＡＤＦ）などを装着することも可能である。
【００２０】
次に画像形成装置１における画像形成動作について説明する。以下、各色の作像装置１０Ｙ、１０Ｍ、１０Ｃ、１０Ｂｋにおいて同一の動作をなす。各作像装置１０Ｙ、１０Ｍ、１０Ｃ、１０Ｂｋの各感光体ドラム１１が図示しない駆動手段によって図中反時計方向に回転駆動され、感光体ドラム１１の表面が帯電手段１２によって所定の極性に一様に帯電される。帯電された感光体表面には露光手段１６からの走査光が照射され、これによって各作像装置１０Ｙ、１０Ｍ、１０Ｃ、１０Ｂｋの感光体ドラム１１表面に静電潜像が形成される。
【００２１】
このとき、各感光体ドラム１１に露光される画像情報は所望のフルカラー画像をイエロー、マゼンタ、シアンおよびブラックの色情報に分解した単色の画像情報である。このように形成された静電潜像に現像装置１３によって各色のトナーが付与され、トナー像として可視化される。また、中間転写ベルト２０が図中時計回りに走行駆動され、各作像装置１０において一次転写ローラー１５の作用により感光体ドラム１１から中間転写ベルト２０に各色トナー像が順次重ね転写される。
【００２２】
このようにして中間転写ベルト２０はその表面にフルカラーのトナー像を保持する。なお、作像装置１０のいずれか１つを使用して単色画像を形成したり、複数の作像装置を用いて２色または３色の画像を形成したりすることもできる。モノクロプリントの場合は、４個の作像装置のうち、図の一番右側の黒の作像装置１０Ｂｋを用いて画像形成を行う。
【００２３】
そして、トナー像を転写した後の感光体ドラム１１表面に付着する残留トナーは、クリーニング装置１４によって感光体ドラム表面から除去され、次いでその表面が図示しない除電器の作用を受けて表面電位が初期化されて次の画像形成に備える。一方、給紙トレイ５０からシートＳが搬送され、シート搬送装置１００によって、斜行が補正され、中間転写ベルト２０上に保持されたトナー像とのタイミングを取って二次転写位置に向けて送り出される。
【００２４】
二次転写ローラー３１によって中間転写ベルト２０に形成されたトナー像が転写ニップＮにおいてシートＳに一括して転写される。トナー像を転写されたシートＳは搬送装置５５によって定着装置４０へと送られ、定着装置４０を通過するとき、熱と圧力によってトナー像がシートＳに溶融定着される。トナー像が定着されたシートＳは図示しない排紙トレイに排出される。
【００２５】
＜実施形態１＞
次に本発明の実施形態１に係る画像形成装置のシート搬送装置１００の周辺の構造について説明する。図２は実施形態１に係る画像形成装置のシート搬送装置を示すものであり、（ａ）は（ｂ）のＢ−Ｂ線からの矢視図、（ｂ）は（ａ）中のＡ−Ａ線断面図である。
【００２６】
シート搬送装置１００のシート搬送方向上流には、給紙装置１１０が配置されている。
シート搬送装置１００は、シートが突き当てられて斜行が補正される補正ローラー１０２と、この補正ローラー１０２に従動する従動ローラー１０３と、補正部材下側ガイド板１０４と、補正部材上側ガイド板１０５とを備えている。シート搬送装置１００は、図２（ａ）中の上側に設けた軸部材１０６でシートの搬送面内で取り付け角度を変更できる。また、シート搬送装置１００の補正部材下側ガイド板１０４の図２（ａ）中下方には、長穴である固定用穴１０７が形成され、ねじ等の固定部材１０８で、取り付け角度を調整可能に取り付けられる。
【００２７】
給紙装置１１０は、フィードローラー１１１、リバースローラー１１２、ピックアップローラー１１３、給紙下側ガイド板１１４、給紙上側ガイド板１１５を備える。
【００２８】
シート搬送装置１００と、給紙装置１１０との間には、シート搬送装置１００と給紙装置１１０との隙間を覆うようにガイド部材２００が配置されている。ガイド部材２００は、下側ガイド板２０１と上側ガイド板２０２とからなり、この間でシートを案内して、シート搬送装置１００と給紙装置１１０との間からシートが外れるのを防止する。下側ガイド板２０１および上側ガイド板２０２は、板状の部材で構成される。
【００２９】
下側ガイド板２０１および上側ガイド板２０２には、図２（ａ）中の上側の一端において、穴部２１３、２１４が形成されている。この穴部２１３、２１４には、給紙装置１１０の給紙下側ガイド板１１４、給紙上側ガイド板１１５から上下に突出された軸部材２１１、２１２がはめ込まれている。これにより、下側ガイド板２０１および上側ガイド板２０２は、給紙装置１１０の給紙下側ガイド板１１４および給紙上側ガイド板１１５に配置角度を変更可能に支持されている。
【００３０】
また、下側ガイド板２０１および上側ガイド板２０２には、図２（ａ）中の下側の一端において軸部材２１５、２１６が突出形成されている。軸部材２１１、２１２は、給紙下側ガイド板１１４および給紙上側ガイド板１１５の穴部２１７、２１８にはめ込まれている。これにより、下側ガイド板２０１および上側ガイド板２０２は、シート搬送装置１００の角度に追従して回転する。
【００３１】
なお、軸部材２１１、２１２および軸部材２１５、２１６はシート搬送の妨げとならないように搬送面と反対方向に凸とすることが望ましい。
【００３２】
本実施形態によれば、シート搬送装置１００の角度を調整してもガイド部材２００の下側ガイド板２０１、上側ガイド板２０２がシート搬送装置１００の移動に追従して移動する。このため、シート搬送装置１００の調整角度によってシート搬送装置１００と給紙装置１１０とにシートが入り込む隙間が覆われる。このため、カールしたシートを搬送した場合であってもシートＳが隙間から外れることがなくなる。よって、シート搬送装置１００を大きく調整することが可能となる。
【００３３】
＜実施形態２＞
次に実施形態２に係る画像形成装置について説明する。画像形成装置１の基本的構造は実施形態１に係るものと同一である。図３は実施形態２に係る画像形成装置のシート搬送装置を示すものであり、（ａ）は（ｂ）のＢ−Ｂ線からの矢視図、（ｂ）は（ａ）中のＡ−Ａ線断面図である。
【００３４】
実施形態２において、シート搬送装置１００およびガイド部材２００の基本的構成は実施形態１と同一である。本実施形態において、シート搬送装置１００とガイド部材２００との間には、ガイド部材３００が配置される。
【００３５】
シート搬送装置１００は、補正ローラー１０２、従動ローラー１０３、補正部材下側ガイド板１０４、補正部材上側ガイド板１０５が配置されている。また、シート搬送装置１００は、軸部材１０６を中心として角度を変更でき、固定用穴１０７および固定部材１０８により所定角度に固定される。
【００３６】
また、給紙装置１１０は、フィードローラー１１１、リバースローラー１１２、ピックアップローラー１１３、給紙下側ガイド板１１４、給紙上側ガイド板１１５を備える。給紙下側ガイド板１１４および給紙上側ガイド板１１５の図３（ａ）中の上側には、ガイド部材３００を回転自在に保持する軸部材３０１、３０２が配置される。
【００３７】
本実施形態において、ガイド部材３００は、下側ガイド板３０３および上側ガイド板３０４を備え、下側ガイド板３０３および上側ガイド板３０４には、軸部材３０１、３０２を挿入できる穴部３１１、３１２が開設されている。これにより、ガイド部材３００は、軸部材３０１、３０２を中心として回転可能である。
【００３８】
さらに、図中下側にガイド部材３００をシート搬送装置１００側に押し付ける付勢手段としてスプリング３０５、３０６を設けている。スプリング３０５、３０６によって、下側ガイド板３０３、および上側ガイド板３０４は常にシート搬送装置１００側に押し付けられた状態となる。下側ガイド板３０３、上側ガイド板３０４は、その一部である下端部３０７をシート搬送装置１００に突き当てることで位置決めされる。
【００３９】
本実施形態によれば、シート搬送装置１００を角度調整しても下側ガイド板３０３および上側ガイド板３０４がシート搬送装置１００に追従して移動するため、調整角度によって受け渡し部の隙間が変化することがない。したがって、カールしたシートを搬送した場合にガイドアウトしてしまうことがなく、シート搬送装置１００を広く調整することが可能となる。
【００４０】
また、この場合において、シート搬送装置１００と給紙装置１１０を独立して動かせるので容易に組み立てることができる。さらには、下側ガイド板３０３および上側ガイド板３０４がシート搬送装置１００に固定されていない。このため、シート搬送装置１００および作像装置を画像形成装置１の本体から矢印Ｃの方向に引き抜くことが可能であり、装置を引き抜いてジャム紙を除去する構成の画像形成装置においても同様の効果を得ることができる。
【００４１】
なお、ジャム処理後、シート搬送装置を矢印Ｃと反対方向に挿入する際に下側ガイド板３０３および上側ガイド板３０４が挿抜の妨げとならないように、挿入時に最初に接触する箇所に傾斜する斜面部３０８、３０９を設けることが好ましい。
【００４２】
＜実施形態４＞
次に実施形態４に係る画像形成装置について説明する。実施形態４に係る画像形成装置は、形成された画像を判定してシート搬送装置１００の角度を自動的に変更するものである。図４は実施形態２に係る画像形成装置のシート搬送装置の制御系を示すブロック図である。本実施形態では、シート搬送装置１００には、その取り付け角度を調整する角度変更手段として駆動手段４４０を備える（図３参照）。また、実施形態１または実施形態２で示したガイド部材２００、またはガイド部材３００を備える。
【００４３】
駆動手段４４０はモータや電磁ソレノイド等で駆動される公知の直線運動機構として構成される。駆動手段４４０は、駆動制御手段４３０で駆動制御される。
【００４４】
本実施形態では、図１に示すように、画像の形成位置を検出する画像位置検知手段４１０を配置し、この画像位置検知手段４１０で検知された画像位置情報に基づいて画像の傾き、歪みを含む画像の状態を演算する。演算は演算手段４２０で行い、この演算結果を駆動制御手段４３０に出力する。
【００４５】
駆動制御手段４３０は、この演算結果に基づいて、必要な角度の調整量を算出して駆動手段４４０を駆動する。この処理を画像位置検知手段４１０で異常を検出しなくなるまで行う。本実施形態によれば、画像の傾き、歪みの情報に基づき、シート搬送装置１００の角度を調整して、平行度の調整が可能である。このため、シートの種類やシートのサイズによらず、シートをストレスなく搬送できる。
【００４６】
なお、上記各実施形態において、ガイド部材は、シート搬送装置１００のシート搬送方向の一方側として上流側に設けたが、シート搬送装置１００の下流側に配置された処理装置、例えば転写装置との間に設けることができる。また、上流側、下流側の両方に設けることができる。
【符号の説明】
【００４７】
１：画像形成装置
１０Ｙ、１０Ｍ、１０Ｃ、１０Ｂｋ：作像装置
５０：給紙トレイ
１００：シート搬送装置
１０２：補正ローラー
１０３：従動ローラー
１０４：補正部材下側ガイド板
１０５：補正部材上側ガイド板
１０６：軸部材
１０７：固定用穴
１０８：固定部材
１１０：給紙装置
１１４：給紙下側ガイド板
１１５：給紙上側ガイド板
２００：ガイド部材
２０１：下側ガイド板
２０２：上側ガイド板
２０３：上側ガイド板
２０４：下側ガイド板
２１１、２１２：軸部材
２１３、２１４：穴部
２１５、２１６：軸部材
２１７、２１８：穴部
３００：ガイド部材
【先行技術文献】
【特許文献】
【００４８】
【特許文献１】特開平０６−１８３６０７号公報
【図１】
2016109783.tif 000003
【図２】
2016109783.tif 000004
【図３】
2016109783.tif 000005
【図４】
2016109783.tif 000006
【図５】
2016109783.tif 000007